(57)【要約】【課題】  単心線の分離を防ぎ、単心線が溝から浮かないようにした光ファイバホルダを提供する。【解決手段】  単心線９に被覆層を重ねて太径化した太径単心線７を複数本並べて収容する太幅溝４と上記単心線９を複数本並べて収容する細幅溝５との間に、各太径単心線７から被覆層を剥離した各単心線９を線間ピッチが狭まるように案内して上記細幅溝５に導くピッチ合わせ溝６を設けた光ファイバホルダ１において、上記細幅溝５の全体又は一部を上記本体２から該細幅溝５の長手方向に突き出させた。【選択図】  図１
2007041380.tif 000002
【特許請求の範囲】
【請求項１】
単心線に被覆層を重ねて太径化した太径単心線を複数本並べて収容する太幅溝と上記単心線を複数本並べて収容する細幅溝との間に、各太径単心線から被覆層を剥離した各単心線を線間ピッチが狭まるように案内して上記細幅溝に導くピッチ合わせ溝を設けた光ファイバホルダにおいて、上記細幅溝の全体又は一部を上記本体から該細幅溝の長手方向に突き出させたことを特徴とする光ファイバホルダ。
【請求項２】
単心線に被覆層を重ねて太径化した太径単心線を複数本並べて収容する太幅溝と上記単心線を複数本並べて収容する細幅溝との間に、各太径単心線から被覆層を剥離した各単心線を線間ピッチが狭まるように案内して上記細幅溝に導くピッチ合わせ溝を設けた光ファイバホルダにおいて、上記太幅溝の底面の全体又は一部を上記細幅溝の底面に対して傾斜させたことを特徴とする光ファイバホルダ。
【請求項３】
上記細幅溝の底面と上記ピッチ合わせ溝の底面を一致させ、上記太幅溝の底面は、少なくとも上記太幅溝と上記ピッチ合わせ溝との境界で、上記ピッチ合わせ溝の底面に一致させたことを特徴とする請求項２記載の光ファイバホルダ。
【請求項４】
上記太幅溝の底面の傾斜形状は、各太径単心線の被覆層を上記太幅溝の途中で剥離したとき、これら被覆層が剥離された各単心線が上記太幅溝の底面に押し当たるような形状にしたことを特徴とする請求項２又は３記載の光ファイバホルダ。
【請求項５】
上記細幅溝の全体又は一部を上記本体から該細幅溝の長手方向に突き出させたことを特徴とする請求項２〜４いずれか記載の光ファイバホルダ。
【発明の詳細な説明】
【技術分野】
【０００１】
本発明は、光ファイバテープ心線又は複数の単心線を他の光ファイバテープ心線との接続に供する光ファイバホルダに係り、単心線の分離を防ぎ、単心線が溝から浮かないようにした光ファイバホルダに関する。
【背景技術】
【０００２】
通信の分野においては、高速・大容量伝送が可能な光ファイバが伝送線路の主流となり、既に中・長距離幹線のほとんどがメタルケーブルから光ファイバケーブルに代わっている。特に近年においては、幹線から各家庭までの伝送経路を光ファイバ化する光加入者系伝送システムの実用化が始まっている。この場合、各加入者宅へ少なくとも１心の単心線を備えたケーブルを引き込んでいる。また、幹線ケーブルでは、１心の光ファイバ心線をテープ状に一括被覆した多心（４心や８心）の光ファイバテープ心線が使用されている。そのため、局から延線された幹線ケーブルの光ファイバテープ心線を加入者宅近傍で単心線に分岐し、その単心線を引き込み用単心線に接続して各加入者宅へ光ファイバを配線している。
【０００３】
最近、光ファイバテープ心線を単心線に分岐する作業の簡略化及び単心線の取り扱い性の面から、図７（ａ）に示すような現在使用されている外径０．２５ｍｍの単心線を加工し、図７（ｂ）に示すように、外径０．２５ｍｍの単心線にさらに１層以上の被覆層を設けた積層構造とすることで太径化する検討が行われ、さらに、このような太径化した単心線をテープ化する検討が行われている。
【０００４】
ここで、図７（ａ）のテープ心線７１は、光ファイバ裸素線７２に通常の被覆層７３を設けた単心線７４を複数本並べて一体化したものである。また、図７（ｂ）のテープユニット７５は、光ファイバ裸素線７２に通常の被覆層７３を設けた単心線７４に、さらに被覆層７６を重ねて太径単心線７７を複数本並べて一体化したものである。
【０００５】
一方、光ファイバの接続には、光ファイバ素線をＶ溝内で突き合わせて軸合わせを行うと共に、その状態で固定することで、簡易に素線同士の接続を行うメカニカルスプライスや光ファイバ素線同士を突き合わせ、その突き合わせ面を互いに溶融させて接続する融着接続等がある。これらの接続技術では、単心線同士もしくは同じ配列ピッチで単心線が整列されたテープ心線同士の接続が可能になる。
【０００６】
また、これら接続に供する各光ファイバ心線を保持するために光ファイバホルダが用いられる。図８に示されるように、光ファイバホルダ８１は、光ファイバ心線８２を真っ直ぐに把持するための溝８３を備えた本体８４と、その本体８４の溝形成面側に開閉自在に取り付けられた蓋体８５とで構成される。本体８４の溝形成面側には磁石８６が埋設されており、この磁石８６によって本体８４と蓋体８５とが磁着され、その結果、本体８４と蓋体８５とにより光ファイバ心線８２が把持されている。また、蓋体８５には、溝８３との当接部にそれぞれゴムや紙ヤスリ等の押さえ部材が設けられており、各押さえ部材が溝８３内に配設されている光ファイバ心線８２の溝延長方向へのずれを防いでいる。
【０００７】
【特許文献１】特開２００３−１７２８４５号公報
【発明の開示】
【発明が解決しようとする課題】
【０００８】
ところで、図８の光ファイバホルダ８１は、１本の単心線を把持したり、同じ外径の単心線からなる１本のテープ心線同士を把持したり、または同じ外径の複数の単心線をテープ心線と同じピッチで整列させて把持するものである。
【０００９】
しかし、単心線を太径化した場合、例えば、外径０．５ｍｍの単心線を整列させたテープ心線では、整列ピッチが０．５ｍｍとなり、接続相手の単心線である現在主流のテープ心線の整列ピッチ０．２５ｍｍとは整列ピッチが異なる。このため、メカニカルスプライスや融着接続による多心同士の一括接続が行えない。従って、例えば、テープ心線の場合、テープ心線を個々の単心線に分離し、単心線同士の接続を複数回行うことになる。よって、接続作業時間が増加するという問題がある。
【００１０】
そこで、本出願人は、図９に示す光ファイバホルダ９１を提案している。この光ファイバホルダ９１は、図８の光ファイバホルダ８１と同様に、光ファイバを真っ直ぐに把持するための溝を備えた本体９２と、その本体の溝形成面側に開閉自在に取り付けられた蓋体９３とで構成される。そして、この光ファイバホルダ９１は、太径化された単心線の整列ピッチを０．５ｍｍから０．２５ｍｍに変換するための構成を備えている。
【００１１】
詳しく説明すると、この光ファイバホルダ９１は、単心線に被覆層を重ねて太径化した太径単心線を複数本並べて収容する太幅溝９４と上記単心線を複数本並べて収容する細幅溝９５との間に、各太径単心線から被覆層を剥離した各単心線を線間ピッチが狭まるように案内して上記細幅溝９５に導くピッチ合わせ溝９６を設けたものである。
【００１２】
本出願人は、この光ファイバホルダ９１を試作し、外径０．５ｍｍの単心線を整列させた４心テープユニットと、外径０．２５ｍｍの単心線を整列させた４心テープ心線との接続を行った。接続方法は、４心テープユニットにおいて外径０．５ｍｍをもたらしている最外被覆層を除去して外径０．２５ｍｍの単心線を露出させ、この単心線を光ファイバホルダにセットした。このとき、最外被覆層を除去したばかりのところにおける単心線の整列ピッチは０．５ｍｍであり、光ファイバホルダ９１を出るところにおける単心線の整列ピッチは０．２５ｍｍである。その光ファイバホルダ９１を出た外径０．２５ｍｍの単心線の被覆層（既に除去した最外被覆層より内にある被覆層）を４本一括で除去して各単心線の端面カットを行い、４心テープ心線との接続をした。
【００１３】
しかしながら、図９の光ファイバホルダ９１には次のような問題がある。
【００１４】
図１０に示されるように、４心テープユニット７５から取り出した各単心線７７と４心テープ心線７１との接続箇所に接続部材１３を取り付けると、光ファイバホルダに収容されていた４心テープユニット７５及び各単心線７７，７４が出てくる。つまり各単心線７７，７４が接続部材１３の外にはみ出している状態である。このはみ出した部分では、４本の外径０．２５ｍｍの単心線７４がそれぞれ互いに分離された状態である。このため、４本の外径０．５ｍｍの単心線７７が密に整列している４心テープユニット７５が裂けやすくなり、それぞれの外径０．５ｍｍの単心線７７が互いに分離してしまう可能性がある。
【００１５】
また、図９の光ファイバホルダ９１は、外径０．５ｍｍの単心線が整列している整列ピッチから外径０．２５ｍｍの単心線が整列している整列ピッチまで整列ピッチを狭めることはできる。しかし、単心線の整列方向とは直角な方向、図で言えば本体９２の上下方向については、単心線の外径の差が考慮されていない。すなわち、図１１（ａ）、図１１（ｂ）に示されるように、外径０．５ｍｍの単心線７７と外径０．２５ｍｍの単心線７４が一直線に溝に収容されると、外径０．５ｍｍの単心線７７は溝の底面に接するが、外径０．２５ｍｍの単心線４４は溝の底面から宙に浮いてしまう。これは、外径０．２５ｍｍの単心線４４を４心テープ心線との接続箇所に向けて安定に保持する上で好ましくない。
【００１６】
そこで、本発明の目的は、上記課題を解決し、単心線の分離を防ぎ、単心線が溝から浮かないようにした光ファイバホルダを提供することにある。
【課題を解決するための手段】
【００１７】
上記目的を達成するために第一の発明は、単心線に被覆層を重ねて太径化した太径単心線を複数本並べて収容する太幅溝と上記単心線を複数本並べて収容する細幅溝との間に、各太径単心線から被覆層を剥離した各単心線を線間ピッチが狭まるように案内して上記細幅溝に導くピッチ合わせ溝を設けた光ファイバホルダにおいて、上記細幅溝の全体又は一部を上記本体から該細幅溝の長手方向に突き出させたものである。
【００１８】
なお、ここで、太径単心線を複数本並べた形態としては、太径単心線同士がそれぞれ独立している形態（太径単心線がばらけたもの）のみならず、太径単心線同士が束ねられテープ化した形態、太径単心線同士がそれぞれ独立している形態と太径単心線同士が束ねられテープ化した形態とが混合している形態などがある。
【００１９】
また、第二の発明は、単心線に被覆層を重ねて太径化した太径単心線を複数本並べて収容する太幅溝と上記単心線を複数本並べて収容する細幅溝との間に、各太径単心線から被覆層を剥離した各単心線を線間ピッチが狭まるように案内して上記細幅溝に導くピッチ合わせ溝を設けた光ファイバホルダにおいて、上記太幅溝の底面の全体又は一部を上記細幅溝の底面に対して傾斜させたものである。
【００２０】
上記細幅溝の底面と上記ピッチ合わせ溝の底面を一致させ、上記太幅溝の底面は、少なくとも上記太幅溝と上記ピッチ合わせ溝との境界で、上記ピッチ合わせ溝の底面に一致させてもよい。
【００２１】
上記太幅溝の底面の傾斜形状は、各太径単心線の被覆層を上記太幅溝の途中で剥離したとき、これら被覆層が剥離された各単心線が上記太幅溝の底面に押し当たるような形状にしてもよい。
【００２２】
上記細幅溝の全体又は一部を上記本体から該細幅溝の長手方向に突き出させてもよい。
【発明の効果】
【００２３】
本発明は次の如き優れた効果を発揮する。
【００２４】
（１）単心線の分離を防ぐことができる。
【００２５】
（２）単心線が溝から浮かないようにすることができる。
【発明を実施するための最良の形態】
【００２６】
以下、第一の発明の一実施形態を添付図面に基づいて詳述する。
【００２７】
図１に示されるように、本発明の第一の実施形態に係る光ファイバホルダ１は、図８の光ファイバホルダと同様に、光ファイバを真っ直ぐに把持するための溝を備えた本体２と、その本体の溝形成面側に開閉自在に取り付けられた蓋体３とで構成され、そして、図９の光ファイバホルダと同様に、被覆層を剥離した各単心線の整列ピッチを太径単心線の整列ピッチから各単心線が密になる整列ピッチに変換するための構成を備え、さらに、単心線の分離を防ぐために溝を本体２の外に出した構成を備えている。
【００２８】
詳しく述べると、光ファイバホルダ１の本体２には、単心線に被覆層を重ねて太径化した太径単心線を複数本並べて収容する太幅溝４と、上記単心線を複数本密に並べて収容する細幅溝５と、各太径単心線から被覆層を剥離した各単心線を線間ピッチが狭まるように案内して細幅溝５に導くピッチ合わせ溝６とが設けられている。各溝の並び順は、太幅溝４、ピッチ合わせ溝６、細幅溝５の順である。
【００２９】
蓋体３は、本体の長手方向の長さのほぼ半分の長さで２つの個別蓋体３ａ，３ｂに分割形成されており、それぞれの個別蓋体３ａ，３ｂは互いに独立に開閉することができる。
【００３０】
図１の光ファイバホルダ１の特徴は、図９と比較すればよく分かる。すなわち、図１の光ファイバホルダ１は、細幅溝５の一部が本体２から細幅溝５の長手方向に突き出ている。
【００３１】
また、図９の光ファイバホルダでは、ピッチ合わせ溝９６が本体９２の長手方向の長さのほぼ中間に位置しており、一方の個別蓋体３ａが主として太幅溝９４の上部を覆い、他方の個別蓋体３ｂが主として細幅溝９５の上部を覆い、ピッチ合わせ溝９６は２つの個別蓋体３ａ，３ｂで分担して覆われるようになっている。これに対し、図１の光ファイバホルダ１では、本体２の長手方向の長さに対して太幅溝４が占める長さが長く、ピッチ合わせ溝６が細幅溝５のある端に偏って位置し、細幅溝５は本体２から外へはみ出している。細幅溝５の一部を本体２の外に形成するために、本体２の端から突起２ａを突き出してある。個別蓋体３ａは太幅溝４のみを覆い、個別蓋体３ｂがピッチ合わせ溝６と細幅溝５の本体内部分を覆う。
【００３２】
図２に示されるように、太幅溝４は、太径単心線７を複数本密に並べて構成した太径単心線テープユニット８の幅とほぼ同じ幅を有する。従って、太幅溝４には太径単心線テープユニット８を幅の過不足なく収容することができる。また、細幅溝５は、通常径の単心線９を複数本密に並べて構成した通常テープ心線（図示せず）の幅とほぼ同じ幅を有する。従って、細幅溝５には単心線９の束１０を幅の過不足なく収容することができる。
【００３３】
各太径単心線７の被覆層は太幅溝４の途中で剥離するようになっており、ピッチ合わせ溝６に近い位置に、被覆層が剥離された太径単心線終端７ａがあるのがわかる。
【００３４】
図示しないが、細幅溝５を延長したところに、相手の通常テープ心線との接続箇所がある。
【００３５】
図３には、一例として具体的数値が記入されている。これによると、太幅溝４の幅は０．５ｍｍ×４＝２ｍｍであり、細幅溝５の幅は０．２５ｍｍ×４＝１ｍｍである。つまり、この光ファイバホルダ１は、外径が０．５ｍｍの太径単心線を４心用いた太径単心線テープユニット８を外径が０．２５ｍｍの単心線を４心用いた通常テープ心線に接続する際に使用するものである。
【００３６】
ピッチ合わせ溝６は、太径単心線７の線間ピッチと同ピッチに隔壁３１が並ぶ入口部６ａと、その隔壁３１が徐々にピッチを狭める過渡部６ｂと、単心線９の線間ピッチよりもやや広いピッチに隔壁３１が並ぶ出口部６ｃを有する。この構成により、各太径単心線７から被覆層を剥離した各単心線９を線間ピッチが狭まるように案内して細幅溝５に導くことができる。
【００３７】
本発明の第一の実施形態の作用効果を説明する。
【００３８】
ピッチ合わせ溝６が入口部６ａから出口部６ｃまで徐々にピッチが狭くなるように形成されているため、各太径単心線７から被覆層を剥離した各単心線９を自然に線間ピッチが狭まるように案内して細幅溝５に導くことができる。
【００３９】
また、細幅溝５の一部が本体２から細幅溝５の長手方向に突き出ているため、各単心線９と相手の通常テープ心線との接続箇所により近い位置にピッチ合わせ溝６を配置することができる。この結果、以下に図４（ａ）〜図４（ｄ）で説明するような効果が得られる。
【００４０】
図４（ａ）に示されるように、光ファイバホルダ１から外に出ている単心線９を放電融着あるいはその他の方法で相手の通常テープ心線１１の各単心線１２と接続する。このとき、光ファイバホルダ１の内部では、太径単心線７の終端（被覆層を剥離した位置）Ｘ１が光ファイバホルダ１の端Ｘ２に近い位置にあり、被覆層が剥離された単心線９は太径単心線終端Ｘ１からピッチ合わせ溝６を通り、本体端Ｘ２を出て細幅溝５の端Ｘ３を経て接続箇所Ｘ４に至っている。
【００４１】
図４（ｂ）に示されるように、心線同士の接続を行った後、光ファイバホルダ１を取り外し、その接続済み光ファイバに接続箇所Ｘ４を覆う円柱状の接続部材１３を取り付ける。接続部材１３は長手方向の寸法が４０ｍｍに規定されている。図示のように、接続部材１３は、接続部材１３の長手方向のほぼ中間に接続箇所Ｘ４が位置するように取り付ける。その結果、太径単心線終端Ｘ１が接続部材１３の内部に含まれる。
【００４２】
図４（ｃ）に示されるように、接続部材１３を取り付けた接続済み光ファイバ１４は、接続部材１３の片端から通常テープ心線１１が出ており、反対端から太径単心線テープユニット８が出ている。
【００４３】
比較のため図９の光ファイバホルダを用いて光ファイバを接続した場合を図４（ｄ）に示す。この場合、図９から分かるようにピッチ合わせ溝が本体の長手方向のほぼ中間に位置しているため、太径単心線終端Ｘ１１は本体端Ｘ２２（＝細幅溝端Ｘ３３）から遠い位置にあり、当然、接続箇所Ｘ４４からも遠い。従って、接続部材１３を取り付けると、太径単心線終端Ｘ１１は接続部材１３の外に残る。よって、図１０のように、個別に分離された単心線７４が接続部材１３の外にはみ出している状態となる。
【００４４】
以上、まとめると、本発明の光ファイバホルダ１は、細幅溝５の全体又は一部が本体２から細幅溝５の長手方向に突き出ていることにより、太径単心線終端Ｘ１を本体端Ｘ２に可及的に近づけることができ、太径単心線終端Ｘ１と接続箇所Ｘ４の距離が短くなるので、太径単心線終端Ｘ１を接続部材１３の中に収容することができる。よって、単心線の分離を防ぐことができる。
【００４５】
次に、第二の発明の一実施形態を添付図面に基づいて詳述する。
【００４６】
図５に示されるように、本発明の第二の実施形態に係る光ファイバホルダ５１は、これまで説明した従来及び本発明の第一実施形態のものとは異なり、溝に傾斜を有する。しかし、ほとんどの部材は同じであるので、部材の符号は同じとし、重複する説明は省略する。
【００４７】
図５の光ファイバホルダ５１の特徴は、太幅溝４の底面の全体又は一部を細幅溝５の底面に対して傾斜させたものである。この特徴を理解するために、図６の側断面図を用いて説明する。図６（ａ）において、光ファイバホルダ５１の本体２の長手方向に位置Ｐ１〜Ｐ５を定義する。すなわち、太径単心線７が入ってくる本体２の端を入口端Ｐ１、太径単心線７の被覆層を剥離した位置を太径単心線終端Ｐ２、太幅溝４とピッチ合わせ溝６との境界を境界Ｐ３、ピッチ合わせ溝６と細幅溝５との境界を境界Ｐ４、単心線９が出ていく本体２の端を出口端Ｐ５とする。
【００４８】
本体２はほぼ直方体に形成されており、本体２の上面を平坦面と定義する。以下、平坦とは本体２の上面と平行であること、傾斜とは本体２の上面と平行でないことを言う。
【００４９】
図示のように、太幅溝４の底面は入口端Ｐ１では比較的高い位置にある。入口端Ｐ１から出口端Ｐ５の方向に向かい、太幅溝４の底面は下向きに傾斜している。その傾斜は境界Ｐ３のやや手前（傾斜終点ＰＸ）で終わり、そこから先は太幅溝４の底面は平坦になり、そのままピッチ合わせ溝６の底面に滑らかに繋がっている。すなわち、太幅溝４の底面は、少なくとも太幅溝４とピッチ合わせ溝６との境界で、ピッチ合わせ溝６の底面に一致させてある。
【００５０】
境界Ｐ３から出口端Ｐ５まで、ピッチ合わせ溝６の底面と細幅溝５の底面は、ともに平坦かつ同じ高さである。すなわち細幅溝５の底面はピッチ合わせ溝の底面と一致させてある。
【００５１】
なお、この実施形態では、太幅溝４の底面を傾斜させ、ピッチ合わせ溝６の底面と細幅溝５の底面は平坦にしたが、逆に太幅溝４の底面は平坦とし、ピッチ合わせ溝６の底面と細幅溝５の底面を傾斜させてもよい。
【００５２】
太幅溝４の底面の好ましい傾斜形状は、この発明の作用効果から導き出すことができる。すなわち、入口端Ｐ１から傾斜終点ＰＸまで太幅溝４の底面が傾斜しており、太径単心線７はこの底面に載置されるので、太径単心線７もまた傾斜する。太径単心線７の被覆層は太幅溝４の途中、太径単心線終端Ｐ２で剥離される。太径単心線終端Ｐ２において太径単心線７から露出した単心線９は、適宜な剛性を有するので、太径単心線７の延長方向に伸びる。つまり、太径単心線終端Ｐ２から傾斜終点ＰＸの近傍まで単心線９は、太径単心線７の傾斜をほぼ保存したまま延びる。
【００５３】
しかし、傾斜終点ＰＸから先は太幅溝５の底面が平坦である。従って、単心線９は、徐々に太幅溝４の底面に近づき、やがて干渉する。このとき、単心線９は、適宜な柔軟性を有するので、撓む。この撓みは単心線９の弾性に基づいているので、単心線９が底面に押しつけられている状態になる。このため、単心線９は、ピッチ合わせ溝６の底面及び細幅溝５の底面に接した状態となる。その結果、図６（ｂ）に示されるように、出口端Ｐ５において単心線９から細幅溝５の底面から浮いておらず、細幅溝５の底面に接した高さ位置を保って本体２の外へ出ている。
【００５４】
図１１と比較すると本発明の効果は明らかである。図１１の構成では単心線が溝の底面から宙に浮いていたが、本発明では、単心線が溝から浮かないようにすることができる。
【００５５】
以上より、太幅溝４の底面の好ましい傾斜形状は、太径単心線７の被覆層を太幅溝４の途中で剥離したとき、その被覆層が剥離された単心線９が太幅溝４の底面に押し当たるような形状である。
【００５６】
さらに、図５の光ファイバホルダ５１は、単心線９が太幅溝４の底面に押し当たるので、ピッチ合わせ溝６の長さ（境界Ｐ３−境界Ｐ４）及び細幅溝５の長さ（境界Ｐ４−出口端Ｐ５）を短くしても、スムーズにピッチを変換して収納することができる。
【００５７】
ピッチ合わせ溝６や細幅溝５の長さを短くできるということは、図５に示されるように、本体２の長手方向の長さに対して太幅溝４が占める長さを長くし、ピッチ合わせ溝６を細幅溝５のある端に偏って位置させることができると言うことである。ピッチ合わせ溝６が本体２の端に偏って位置することの効果は、図１の光ファイバホルダ１の効果と同じであり、図４で説明したように、太径単心線終端Ｘ１と接続箇所Ｘ４の距離が短くなるので、太径単心線終端Ｘ１を接続部材１３の中に収容することができ、よって、単心線の分離を防ぐことができる。
【００５８】
第二の発明に加えて第一の発明を実施してもよい。すなわち、図５のように傾斜した溝を有する光ファイバホルダ５１において、図１のように細幅溝５の全体又は一部を本体２から細幅溝５の長手方向に突き出させれば、効果はいっそう強められる。
【図面の簡単な説明】
【００５９】
【図１】本発明の第一実施形態（第一発明の実施形態）を示す光ファイバホルダの斜視図である。
【図２】図１の光ファイバホルダに光ファイバを加えた斜視図である。
【図３】図１の光ファイバホルダにおけるピッチ合わせ溝周辺の拡大平面図である。
【図４】第一発明の効果を説明する図であり、（ａ）は光ファイバホルダから接続相手の通常テープ心線にかけての平面図、（ｂ）は光ファイバホルダ除去後の平面図、（ｃ）は接続部材取り付け後の斜視図、（ｄ）は図９の光ファイバホルダを用いた場合の光ファイバホルダ除去後の平面図である。
【図５】本発明の第二実施形態（第二発明の実施形態）を示す光ファイバホルダの斜視図である。
【図６】（ａ）は図５の光ファイバホルダの側断面図、（ｂ）はその部分拡大図である。
【図７】（ａ）は外径０．２５ｍｍの単心線からなるテープ心線の断面付き斜視図、（ｂ）は外径０．５ｍｍの太径単心線からなるテープユニットの断面付き斜視図である。
【図８】従来の光ファイバホルダの斜視図である。
【図９】本出願人が提案中の光ファイバホルダの斜視図である。
【図１０】図９の光ファイバホルダを用いた場合の接続部材取り付け後の斜視図である。
【図１１】（ａ）は図９の光ファイバホルダの側断面図、（ｂ）はその部分拡大図である。
【符号の説明】
【００６０】
１  光ファイバホルダ
２  本体
３  蓋体
４  太幅溝
５  細幅溝
６  ピッチ合わせ溝
７  太径単心線
８  太径単心線テープユニット
９  単心線
１３  接続部材
【図１】
2007041380.tif 000003
【図２】
2007041380.tif 000004
【図３】
2007041380.tif 000005
【図４】
2007041380.tif 000006
【図５】
2007041380.tif 000007
【図６】
2007041380.tif 000008
【図７】
2007041380.tif 000009
【図８】
2007041380.tif 000010
【図９】
2007041380.tif 000011
【図１０】
2007041380.tif 000012
【図１１】
2007041380.tif 000013